【事件の表示】
　特願２００２−２４６７５９「外壁パネル」拒絶査定不服審判事件〔平成１６年３月１８日出願公開、特開２００４−８４３０７〕について、次のとおり審決する。
【結　論】
　本件審判の請求は、成り立たない。
【理　由】
【１】手続の経緯・本願発明
　本願は、平成１４年８月２７日の出願であって、平成１７年１２月２８日付けで平成１７年１１月１１日付け手続補正についての補正の却下の決定がなされるとともに拒絶査定がなされ、これに対し、平成１８年２月３日に拒絶査定に対する審判請求がなされたものであり、その請求項１に係る発明は、上記のとおり、平成１７年１１月１１日付け手続補正は補正の却下の決定がなされているので、平成１７年７月２２日付け手続補正書により補正された明細書および図面の記載からみて、その特許請求の範囲の請求項１に記載された事項により特定される次のとおりのものと認める。
　「表面には長方形状に形成された装飾材を一定の間隔を設けて接着し、上面には円筒状の上凸部を２列に複数突設するとともに下面にも円筒状の下凸部を３列に複数突設した外パネルと、上面には円筒状の上凸部を２列に複数突設するとともに下面にも円筒状の下凸部を３列に複数突設した内パネルと、左上Ｖ字溝、突出部を有する左上斜Ｕ字溝、垂直部及び水平部がある左上Ｕ字溝を設けた傾斜部に突起を設けた左上先端部を連設し、左上内貫通孔及び左上外貫通孔を設けるとともに背面にＬ字型突条を設けた左上連結部、右上Ｖ字溝、突出部を有する右上斜Ｕ字溝、垂直部及び水平部がある右上Ｕ字溝を設けた傾斜部に突起を設けた右上先端部を連設し、右上内貫通孔及び右上外貫通孔を設けるとともに背面にＬ字型突条を設け、前記左上連結部に連設した右上連結部、左下Ｖ字溝、突出部を有する左下斜Ｕ字溝、垂直部及び水平部がある左下Ｕ字溝を設けた傾斜部に左下先端部を連設し、左下内貫通孔及び左下外貫通孔を設けるとともにＬ字型突条を設け、前記左上連結部及び前記右上連結部に連設した左下連結部、及び右下Ｖ字溝、突出部を有する右下斜Ｕ字溝、垂直部及び水平部がある右下Ｕ字溝を有する傾斜部に右下先端部を連設し、右下内貫通孔及び右下外貫通孔を設けるとともにＬ字型突条を設け、前記左上連結部、前記左下連結部及び前記右上連結部に連設した右下連結部からなり、前記左上Ｕ字溝と前記右上Ｕ字溝間にＵ字溝を設けるとともに前記左下Ｕ字溝と前記右下Ｕ字溝間にＵ字溝を設け、前記Ｕ字溝と前記Ｕ字溝間に縦方向に突条及び前記突条の上下に突起を設け、前記左右上連結部と左右下連結部が連設する部分に段差を形成した連結材本体の左右端に左右外枠部を取り付けた略Ｘ字状の連結材とからなり、前記外パネルと前記内パネル間に前記連結材のＬ字型突条より外方にある左右上外貫通孔及び左右下外貫通孔が隠れるように等間隔かつ梯子状に取り付けたことを特徴とする外壁パネル。」（以下「本願発明」という。）
　　
　　
【２】引用刊行物記載の発明
１．原査定の拒絶の理由に引用され、本願出願前に頒布された刊行物である、特開平８−２４６５７８号公報（以下、「引用文献１」という。）には、「タイル付き壁構築ユニット、その製造方法、その製造装置」に関して、以下の事項が記載されている。
（イ）「【実施例】・・・本実施例のタイル付き壁構築ユニット１０は、図１及び図２に示すように、２枚のパネル２０ａ，２０ｂが互いに平行になるように連結された壁構築ユニット１１と、この壁構築ユニット１１の一方のパネル２０ａの外面２１ａにセメント４５を介して貼付られた複数のタイル５０，５０，…とを有して構成されている。
　ここで、まず、壁構築ユニット１１の構成について、図５〜図１１を用いて説明する。壁構築ユニット１１は、図５〜図７に示すように、矩形平板状の２枚の発泡ポリスチレン樹脂製のパネル２０ａ，２０ｂと、この２枚のパネル２０ａ，２０ｂを互いに平行に連結する複数の連結部材３０，３０，…とを有して構成されている。パネル２０ａ，２０ｂを形成する発泡ポリスチレン樹脂として、ここでは、自消性（難燃性）で、且つ高密度発泡性のものを用いている。本実施例において、パネルの材料として、発泡樹脂を用いているのはユニット１１の軽量化、壁の断熱性及び遮音性を考慮したから・・・である。・・・
　矩形平板状のパネル２０ａ，２０ｂは、それぞれ、互いに平行な外面２１ａ，２１ｂ及び内面２２ａ，２２ｂ、同じく互いに平行な天面２３及び底面２４、同じく互いに平行な第１側面２５及び第２側面２７を有している。
　パネル２０ａ，２０ｂの天面２３には、図８に示すように、天面２３から突出し断面が菱形の複数のプラグ２３ｘ，２３ｘ，…と、天面２３から突出し複数のプラグ２３ｘ，２３ｘ相互を連結する複数の連結凸部２３ｙ，２３ｙ，…とが形成されている。この連結凸部２３ｙの突出量は、プラグ２３ｘの突出量よりも小さい。一方、パネル２０ａ，２０ｂの底面２４には、図９に示すように、底面２４から凹み、天面２３のプラグ２３ｘが嵌入できる複数のプラグ穴２４ｘ，２４ｘ，…と、底面２４から凹み、天面２３の連結凸部２３ｙが嵌入できる複数の連結凹部２４ｙ，２４ｙ，…とが形成されている。・・・
　連結部材３０は、図１０及び図１１に示すように、細長い２つの鍔プレート３１ａ，３１ｂと、２つの鍔プレート３１ａ，３１ｂを互いに平行に連結する複数のウェブ３２ａ，３２ｂと、２つの鍔プレート３１ａ，３１ｂの平行性維持の強化のための複数のリブ３３ａ，３３ｂと、後述する横筋金４９（図２４に示す。）を取り付けるための複数のフック３４ａ，３４ｂとを有している。・・・リブ３３ａ，３３ｂは、その一方の端部が鍔プレート３１ａ，３１ｂに接合され、その他方の端部がウェブ３２ａ，３２ｂに接合されている。複数のフック３４ａ，３４ｂは、２つの鍔プレート３１ａ，３１ｂ相互間の中央部近傍のウェブ３２ａ，３２ｂに設けられている。・・・
　鍔プレート３１ａ，３１ｂ、ウェブ３２ａ，３２ｂ、リブ３３ａ，３３ｂ及びフック３４ａ，３４ｂを有する連結部材３０は、高密度ポリエチレン樹脂で一体成形されたものである。なお、連結部材は、高密度ポリエチレン樹脂以外に、例えば、ポリプロピレン樹脂等の樹脂や、金属等を用いてもよい。」（段落【００１９】〜【００２４】）
（ロ）図１をみると、一方のパネル２０ａの外面２１ａには方形状のタイル５０，５０，…を一定の間隔を設けて貼付けてあることが明らかであり、
　また、図７，１０をみると、ウェブ３２ａの上面中央部の左右及びウェブ３２ｂの下面中央部の左右にそれぞれ横筋金４９を取り付ける溝を形成するためのフック３４ａ，３４ｂが設けられ、リブ３３ａ，３３ｂは一方の端部が鍔プレート３１ａ，３１ｂの上下にそれぞれ接合され他方の端部がウェブ３２ａの上面左右及びウェブ３２ｂの下面左右にそれぞれ接合されており、全体として（連結部材３０は）、略Ｘ字状であることが明らかであり、
　また、図１，２，７をみると、一方のパネル２０ａと他方のパネル２０ｂ間にリブ３３ａ，３３ｂとウェブ３２ａ，３２ｂとの接合部より外方にある部分が隠れるように等間隔かつ梯子状に連結部材３０，３０，…を取り付けてあることが明らかであり、
　さらに、図８をみると、パネル２０ａ，２０ｂの天面２３に、断面菱形のプラグ２３ｘ，２３ｘ，…が２列に複数突出し、図９をみると、パネル２０ａ，２０ｂの底面２４に、天面２３のプラグ２３ｘが嵌入できる複数のプラグ穴２４ｘ，２４ｘ，…を形成する断面菱形及び断面半割菱形のプラグが３列に複数突出していることが明らかである。
　上記（イ）、（ロ）の記載事項等を含む引用文献１全体の記載及び特に図１，２，７〜１０の図面並びに当業者の技術常識によれば、引用文献１には次の発明が記載されているものと認められる。
　「外面２１ａには方形状のタイル５０を一定の間隔を設けて貼付け、天面２３には断面菱形のプラグ２３ｘを２列に複数突設するとともに底面２４にも断面菱形のプラグ２３ｘが嵌入できる複数のプラグ穴２４ｘを形成する断面菱形及び断面半割菱形のプラグを３列に複数突設した一方のパネル２０ａと、天面２３には断面菱形のプラグ２３ｘを２列に複数突設するとともに底面２４にも断面菱形のプラグ２３ｘが嵌入できる複数のプラグ穴２４ｘを形成する断面菱形及び断面半割菱形のプラグを３列に複数突設した他方のパネル２０ｂと、左右端の細長い２つの鍔プレート３１ａ，３１ｂと、２つの鍔プレート３１ａ，３１ｂを互いに平行に連結する複数のウェブ３２ａ，３２ｂと、ウェブ３２ａの上面中央部の左右及びウェブ３２ｂの下面中央部の左右にそれぞれ設けられて横筋金４９を取り付ける溝を形成するための複数のフック３４ａ，３４ｂと、一方の端部が鍔プレート３１ａ，３１ｂの上下にそれぞれ接合され他方の端部がウェブ３２ａの上面左右及びウェブ３２ｂの下面左右にそれぞれ接合された複数のリブ３３ａ，３３ｂとを有している略Ｘ字状の連結部材３０とからなり、前記一方のパネル２０ａと前記他方のパネル２０ｂ間に前記連結部材３０のリブ３３ａ，３３ｂとウェブ３２ａ，３２ｂとの接合部より外方にある部分が隠れるように等間隔かつ梯子状に前記連結部材３０を取り付けたタイル付き壁構築ユニット１０。」（以下、「引用文献１記載の発明」という。）
　　
２．同じく、特開平９−１４４１７８号公報（以下、「引用文献２」という。）には、「建築用型枠及び建築工法」に関して、図１〜４とともに、以下の事項が記載されている。
（イ）「板状の２枚の発泡樹脂板の面が平行であって且つ所定距離離れた状態となるように該両発泡樹脂板間をリブによって固定し、該２枚の発泡樹脂板間にコンクリート打設を行なうことによって該コンクリートと共に前記２枚の発泡樹脂板をも建築仕上げ材とする建築用型枠本体を具備し、
該建築用型枠本体の一方の面に、接着剤によって直接又は網を介して、多数枚の外壁用タイルを貼り付けたことを特徴とする建築用型枠。」（特許請求の範囲【請求項１】）
（ロ）「・・・リブ１３はポリエチレン樹脂製の平板である。ここで図２は前記建築用型枠本体１０の拡大側面図である。同図に示すようにリブ１３は、その中央から放射状に６本のアーム１５を伸ばし、その先端に２つの樹脂板固定部１７，１７を設けて構成されている。この樹脂板固定部１７，１７の幅は、リブ１３の他の部分の厚みよりも厚く形成されている。
　またその中央部と上下のアーム１５の所定位置には、それぞれ図示しない鉄筋をガイドするガイド溝１９が設けられている。
　そして２枚の発泡樹脂板１１，１１を図１に示すように、６枚のリブ１３の樹脂板固定部１７，１７にモールドするように取り付ければこの建築用型枠本体１０が完成する。・・・」（段落【００１６】〜【００１８】）
（ハ）「そしてこの建築用型枠１の製造は、図１に示すように建築用型枠本体１０の一方の発泡樹脂板１１の外側面に接着剤５０を塗布し、次に該接着剤５０の上に網６０を貼り付け、さらに網６０の間からはみ出した接着剤５０の上に多数枚の外壁用タイル７０を貼り付けることによって行なう。この作業は工場内で行なえるため容易で、作業性が良い。」（段落【００２４】）
（ニ）「次にこの建築用型枠１を用いて建築物を建築する建築工法を説明する。即ちまず前記建築用型枠１を多数個用意する。
　次に図３に示すように、建築用型枠１の外壁用タイル７０を貼り付けた側の面を外側として建築物の型枠を組み立てていく。このとき、必要に応じてリブ１３に設けたガイド溝１９に図示しない鉄筋を取り付ける。」（段落【００２６】〜【００２７】）
　 　
　　
【３】対比・判断
１．本願発明と引用文献１記載の発明との対比
　引用文献１記載の発明の「外面２１ａ」，「タイル５０」，「貼付け」，「天面２３」，「底面２４」，「一方のパネル２０ａ」，「他方のパネル２０ｂ」，「左右端の細長い２つの鍔プレート３１ａ，３１ｂ」，「連結部材３０」，「タイル付き壁構築ユニット１０」が、本願発明の「表面」，「装飾材」，「接着し」，「上面」，「下面」，「外パネル」，「内パネル」，「左右外枠部」，「連結材」，「外壁パネル」にそれぞれ相当し、
　また、引用文献１記載の発明の「断面菱形のプラグ２３ｘ」，「断面菱形のプラグ２３ｘが嵌入できる複数のプラグ穴２４ｘを形成する断面菱形及び断面半割菱形のプラグ」，「複数のリブ３３ａ，３３ｂ」，「複数のフック３４ａ，３４ｂ」により形成される「横筋金４９を取り付ける溝」と、本願発明の「円筒状の上凸部」，「円筒状の下凸部」，「傾斜部」，「（突出部を有する左上・右上・左下・右下の）斜Ｕ字溝、（垂直部及び水平部がある左上・右上・左下・右下の）Ｕ字溝、及び、Ｕ字溝間のＵ字溝」とが、「上凸部」，「下凸部」，「補強部」，「鉄筋嵌合部」で技術的に共通し、
　さらに、引用文献１記載の発明の「連結部材３０のリブ３３ａ，３３ｂとウェブ３２ａ，３２ｂとの接合部より外方にある部分が隠れるように・・・連結部材３０を取り付けた」と、本願発明の「連結材のＬ字型突条より外方にある左右上外貫通孔及び左右下外貫通孔が隠れるように・・・取り付けた」とが、「連結材の左右の外方部分が隠れるように・・・連結材を取り付けた」で技術的に共通している（尚、本願発明の「連結材のＬ字型突条より外方にある左右上外貫通孔及び左右下外貫通孔が隠れるように・・・取り付けた」は不明確であるから、これを、「連結材のＬ字型突条より外方にある左右上外貫通孔及び左右下外貫通孔が隠れるように・・・連結材を取り付けた」の意と解した。）。
　してみると、両者は、
　「表面には装飾材を一定の間隔を設けて接着し、上面には上凸部を２列に複数突設するとともに下面にも下凸部を３列に複数突設した外パネルと、上面には上凸部を２列に複数突設するとともに下面にも下凸部を３列に複数突設した内パネルと、複数の補強部及び複数の鉄筋嵌合部を設け、左右端に左右外枠部を取り付けた略Ｘ字状の連結材とからなり、前記外パネルと前記内パネル間に前記連結材の左右の外方部分が隠れるように等間隔かつ梯子状に連結材を取り付けた外壁パネル。」の点で一致し、以下の点で相違している。
＜相違点１＞
　上凸部及び下凸部の構成並びに装飾材の構成に関して、本願発明では、上凸部及び下凸部がともに円筒状のものであり、装飾材が長方形状に形成されたものであるのに対し、引用文献１記載の発明では、上凸部及び下凸部が断面菱形或いは断面半割菱形のものであり、装飾材が方形状のものであって、いずれも形状がそのようになっていない点。
＜相違点２＞
　略Ｘ字状の連結材の構成に関して、本願発明では、左上Ｖ字溝、突出部を有する左上斜Ｕ字溝、垂直部及び水平部がある左上Ｕ字溝を設けた傾斜部に突起を設けた左上先端部を連設し、左上内貫通孔及び左上外貫通孔を設けるとともに背面にＬ字型突条を設けた左上連結部、右上Ｖ字溝、突出部を有する右上斜Ｕ字溝、垂直部及び水平部がある右上Ｕ字溝を設けた傾斜部に突起を設けた右上先端部を連設し、右上内貫通孔及び右上外貫通孔を設けるとともに背面にＬ字型突条を設け、前記左上連結部に連設した右上連結部、左下Ｖ字溝、突出部を有する左下斜Ｕ字溝、垂直部及び水平部がある左下Ｕ字溝を設けた傾斜部に左下先端部を連設し、左下内貫通孔及び左下外貫通孔を設けるとともにＬ字型突条を設け、前記左上連結部及び前記右上連結部に連設した左下連結部、及び右下Ｖ字溝、突出部を有する右下斜Ｕ字溝、垂直部及び水平部がある右下Ｕ字溝を有する傾斜部に右下先端部を連設し、右下内貫通孔及び右下外貫通孔を設けるとともにＬ字型突条を設け、前記左上連結部、前記左下連結部及び前記右上連結部に連設した右下連結部からなり、前記左上Ｕ字溝と前記右上Ｕ字溝間にＵ字溝を設けるとともに前記左下Ｕ字溝と前記右下Ｕ字溝間にＵ字溝を設け、前記Ｕ字溝と前記Ｕ字溝間に縦方向に突条及び前記突条の上下に突起を設け、前記左右上連結部と左右下連結部が連設する部分に段差を形成した連結材本体の左右端に左右外枠部を取り付けてなるのに対し、引用文献１記載の発明では、左右端の細長い２つの鍔プレート３１ａ，３１ｂと、２つの鍔プレート３１ａ，３１ｂを互いに平行に連結する複数のウェブ３２ａ，３２ｂと、ウェブ３２ａの上面中央部の左右及びウェブ３２ｂの下面中央部の左右にそれぞれ設けられて横筋金４９を取り付ける溝を形成するための複数のフック３４ａ，３４ｂと、一方の端部が鍔プレート３１ａ，３１ｂの上下にそれぞれ接合され他方の端部がウェブ３２ａの上面左右及びウェブ３２ｂの下面左右にそれぞれ接合された複数のリブ３３ａ，３３ｂとを有してなる点。
＜相違点３＞
　外パネルと内パネル間に連結材の左右の外方部分が隠れるように等間隔かつ梯子状に連結材を取り付ける構成に関して、本願発明では、連結材のＬ字型突条より外方にある左右上外貫通孔及び左右下外貫通孔が隠れるように取り付けているのに対し、引用文献１記載の発明では、連結部材３０のリブ３３ａ，３３ｂとウェブ３２ａ，３２ｂとの接合部より外方にある部分が隠れるように取り付けている点。
　　　
２．相違点の検討
＜相違点１について＞
　本願発明と引用文献１記載の発明との何れにおいても、上凸部及び下凸部はパネル相互を接合する時に歯合させることを目的とするものであり、このような目的を達成するために、その形状を適宜設定することは設計事項にすぎないし、また、装飾材として方形状のものを採用するか或いは長方形状のものを採用するかも設計事項にすぎないから、本願発明の上記相違点１に係る構成を想到することは、当業者が格別の技術的困難性を要することなく容易になしえたものと云わざるをえない。
＜相違点２について＞
　相違点２について検討するために引用文献２をみると、引用文献２には、図１，３，４を参照すると、一方の発泡樹脂板１１（本願発明の「外パネル」に相当する。以下同様（但し、「」を省略）。）と、他方の発泡樹脂板１１（内パネル）と、２枚の発泡樹脂板１１，１１間に取り付けたリブ１３（連結材）とからなる建築用型枠本体１０において、一方の発泡樹脂板１１の外側面に長方形状に形成された外壁用タイル７０（長方形状に形成された装飾材）を一定の間隔を設けて接着した建築用型枠１（外壁パネル）についての発明が記載されている。
　そして、当該発明において、上記リブ１３については、特に図２を参照すると、左上・右上・左下・右下のＶ字溝、左上・右上の連結部の傾斜部の突起と背面のＬ字型突条、左下・右下の連結部のＬ字型突条、Ｕ字溝間の縦方向の突条、突条の上下の突起、及び、左右上連結部と左右下連結部が連設する部分の段差は設けられていないが、左上斜め向き・右上斜め向き・左下斜め向き・右下斜め向きのアーム１５（傾斜部）にそれぞれ突出部を有するガイド溝１９（左上・右上・左下・右下の斜Ｕ字溝）及び垂直部及び水平部がある符号が付されていないＵ字溝（左上・右上・左下・右下のＵ字溝）を設け、上記各アーム１５にそれぞれ左上・右上・左下・右下の先端部を連設し、左上・右上・左下・右下の内貫通孔及び左上・右上・左下・右下の外貫通孔を設けて、左上・右上・左下・右下の連結部とし、さらに、左上・右上・左下・右下の各連結部を連設し、上記左上斜め向き・右上斜め向きのアーム１５にそれぞれ設けた垂直部及び水平部がある符号が付されていないＵ字溝（左上・右上のＵ字溝）間にガイド溝１９（Ｕ字溝）を設けるとともに上記左下斜め向き・右下斜め向きのアーム１５にそれぞれ設けた垂直部及び水平部がある符号が付されていないＵ字溝（左下・右下のＵ字溝）間にガイド溝１９（Ｕ字溝）を設けて、本体（連結材本体）を形成し、当該本体の左右端にそれぞれ樹脂板固定部１７（左右外枠部）を取り付けてなるものである。
　してみると、上記のようなリブ１３（連結材）を、引用文献１記載の発明の連結部材３０（連結材）に替えて採用することは、当業者が容易に想到することができたものと云うことができる。
　ところで、本願発明の特定事項のうちの、引用文献２に記載のない上記左上・右上・左下・右下のＶ字溝、左上・右上の連結部の傾斜部の突起と背面のＬ字型突条、左下・右下の連結部のＬ字型突条、Ｕ字溝間の縦方向の突条、突条の上下の突起、及び、左右上連結部と左右下連結部が連設する部分の段差に関しては、何れも、どのような目的で設けられたものであるのか定かでないが、例えば、突条や段差が位置合わせや補強のために設けられたものであり、Ｖ字溝や突起が位置合わせのために設けられたものであるとしても、そのような目的のために、Ｖ字溝，（Ｌ字型等の）突条，突起，段差等を適宜位置にそれぞれ設けることは、当業者が必要に応じて適宜採用する程度の技術事項と云えるものである。
　したがって、本願発明の上記相違点２に係る構成を想到することは、当業者が格別の技術的困難性を要することなく容易になしえたものと云わざるをえない。
＜相違点３について＞
　連結材をパネルに取り付ける際に、それのどの部分までがパネルによって隠れるように取り付けるかは、適宜決定すべき設計事項ではあるが、上記引用文献２をみると、引用文献２には、上記＜相違点２について＞で検討した事項に加え、図２の建築用型枠本体１０は、リブ１３（連結材）を２枚の発泡樹脂板１１，１１（内・外パネル）間に取り付ける際に、それの左右上外貫通孔及び左右下外貫通孔が発泡樹脂板１１，１１に隠れるように取り付けてあることが明らかであり、そのような取り付けの際において、上記したように、Ｌ字型突条を設けて、これにより位置合わせすることは、当業者が必要に応じて適宜採用する程度の技術事項と云えるものであるから、本願発明の上記相違点３に係る構成を想到することは、当業者が格別の技術的困難性を要することなく容易になしえたものと云わざるをえない。
　　
　　
【４】むすび
　以上のとおり、本願発明は、引用文献１，２記載の発明から当業者が容易に発明をすることができたものであり、特許法第２９条第２項の規定により特許を受けることができないから、本願の他の請求項に係る発明について検討するまでもなく、本願は、拒絶されるべきものである。
　よって、結論のとおり審決する。